(57)【要約】【課題】  スチレンボード等の樹脂板を用いて、建物模型等を製作する場合、出隅・入隅を形成するために、従来は切断面を直角接合していたため、その隅の加工寸法精度が低くかつ切断の作業時には他方の板を図面寸法よりスチレンボード板分差し引く必要があったが、スチレンボードの切断端面を４５度の角度に１行程で加工可能とする角度カッターを提供する。【解決手段】  底辺の１角が９０度の直角で他の角の仰角が１０度〜８０度である略三角形の端面を有し、該三角形端面の斜辺の長さの略２〜５倍の長さの長方体である基台を用いて、その基台の斜面にその長手方向の底辺接線に２０〜６０度の角度でカッターナイフ刃の幅に相当する浅溝を刻み、その浅溝内にカッターナイフ刃の刃先を基台斜面の長方底面接線よりも突出させてカッターナイフ刃が装填し、そのカッターナイフの刃の外側に該基台の斜面にその長手方向の底辺接線に沿って該斜面の幅よりも小さなサイズの定規板を重ね係止し、かつその定規板によりカッターナイフ刃が係止されている角度カッターの構造。【選択図】  図１
0003131772.tif 000002
【実用新案登録請求の範囲】
【請求項１】
底辺の１角が直角で他の角の仰角が４５度である略三角形の断面を有し、該三角形の斜辺長さの略２〜５倍の長さの長方体である基台と、該基台の斜面にその長方の底辺接線に１０〜８０度の仰角でカッターナイフ刃の幅に相当する浅溝が刻まれ、その浅溝内にカッターナイフ刃の刃先を基台斜面の長方底面接線よりも突出してカッターナイフが装填され、基台の斜面にその長方底面に沿ってカッターナイフの外側に該斜面の幅寸法よりも小さな幅寸法の定規板がネジにより係止されていることを特徴とする角度カッター
【請求項２】
基台断面の底辺の他の角である仰角を自在に調節可能とする治具を備えたことを特徴とする請求項２に記載の角度カッター
【請求項３】
基台斜面に刻まれた浅溝に係止されるカッターナイフ刃が自在に前後する治具を備えたことを特徴とする請求項１及び２に記載の角度カッター
【考案の詳細な説明】
【技術分野】
【０００１】
本考案は、主に建築模型等の作成に用いる主材料であるスチレンボードの端面を任意の角度、主として４５度に切断する工具に関する。
【背景技術】
【０００２】
建築模型の建物を箱状に製作する場合、壁面の出隅、入隅部分の接合は直角接合の方法で行われているが、通常はスチレンボードの要切断部分に定規等を当て、市販のカッター等を用いて平面と垂直な角度で切断し、一方のスチレンボード平面端部に他方スチレンボード切断端面を突き合わせて接合することが大半である。
【０００３】
しかるに、模型建物での直角接合の場合、一方のスチレンボードは図面寸法で切断可能であるが、接合する他のスチレンボードは接合予定のスチレンボードの板厚寸法を差し引く必要があり、模型建物においてはその形状から出隅、入隅が複数となることが多く、最終的な寸法精度誤差が発生しやすく作業性も低い。また、接合箇所には必ず切断面が表面に現れるので出来映えも悪く表面処理が難しい。更に接合面が小さいため強度が劣るなど多くの課題がある。
【０００４】
スチレンボードの接合面を、接合に好都合の断面とするため直交する２枚のカッターを備える接合端加工用カッターが提案されているが薄いクラフト紙を残してスチレン部のみ取り除くことは容易ではないし、接合部の強度も期待はできない。（例えば、実用新案文献１参照）
【０００５】
また、壁面等に用いるボードの突き合わせ部の間隔を綺麗に仕上げるためのボードのエッジの面取り用定規付きカッターが提案されており、このカッターを用いてスチレンボードの切断面に角度を持たせて切断することも可能であるが、平板のスチレンボードの任意箇所を１直線に切断するには直行切断と面取りとの２行程を要する。（例えば、実用新案文献２参照）
【０００６】
また、床材等の内装材シートのＶ字状の溝きり施工ができる溝きり用具が提案されているが用具の中央部が切断面となるため正確な精度での寸法に切断するには不向きである。（例えば、実用新案文献３参照）
【０００７】
【特許文献１】実開昭５９−１８８０７２公報
【特許文献２】実開平３−７６５５８号公報
【特許文献３】実開昭６０−２００９３２号公報
【考案の開示】
【考案が解決しようとする課題】
【０００８】
本考案は、以上の課題を鑑みて行ったものであり、建物模型を製作するに当たって、箱状に形成する場合、各壁面となるパーツについて製作図面に基づく隔壁面の外のり寸法を表面紙が貼付されたスチレンボードに縮尺模写し、接合しようとする箇所を本考案の角度カッターで切断し、スチレンボードの端面を４５度の角度に切断することにより他方の壁面の端面の４５度と付き合わせることで、直角であるべき正確な９０度の壁面接合を実現でき、かつその寸法精度を格段に向上させることができるのである。
接合面の２面それぞれ表面紙のみが端部まで現れるため見栄えも良く、接合面の強度も十分に確保することが可能となる。
【０００９】
底辺の１角が９０度の直角で他の角の仰角が１０度〜８０度である略三角形の端面を有し、該三角形端面の斜辺の長さの略２〜５倍の長さの長方体である基台を用いて、その基台の斜面にその長手方向の底辺接線に２０〜６０度の角度でカッターナイフ刃の幅に相当する浅溝を刻み、その浅溝内にカッターナイフ刃の刃先を基台斜面の長方底面接線よりも突出させてカッターナイフ刃が装填され、そのカッターナイフの刃の外側に該基台の斜面にその長手方向の底辺接線に沿って該斜面の幅よりも小さなサイズの定規板を重ね係止し、かつその定規板によりカッターナイフ刃が係止されている角度カッターを提供する。
【考案の効果】
【００１０】
スチレンボード板を利用した建築建物模型を、正確にかつ効率的に製作するにあたり、簡単に出隅、入隅を形成できるように切断できるカッターとして活用できる。
突き合わせ接合のごとく、板厚を考慮した切断部位など気にせず図面寸法に切断するのみで寸法誤差を解消し、接合強度は大きく、作業性も格段に向上する。
また、接合部表面は、貼付された表面紙のみが現れるので切断面の処理で微調整などの苦労する必要が全くなく、以後の塗装作業等も簡単となる。
【００１１】
また、基台の仰角４５度以外の角度に調整することにより、直角以外の造形・接合も容易となり、多角形や星形の柱や筒状模型等も製作可能であるため、特にイベント会場におけるブース内ディスプレー製品模型や装飾用成型品の製作に効果を発揮する至便の角度カッターを提供できる。
【考案を実施するための最良の形態】
【００１２】
本考案における請求項１に記載の角度カッターに関し、以下のとおり説明する。
【実施例１】
【００１３】
本考案の最も基本となる構造について図面１〜図３を用いて説明する。
底辺の一角が直角α１であり、他の角の仰角α２が４５度である略三角形の端面２を有し、該三角形の斜辺の長さの略２〜５倍の長さの長方体である基台１が本考案の基本となる角度カッターの本体である。
該基台１の斜面３にはその長手方向の底辺接線に対して２０〜６０度、好ましくは３０度±５度の仰角βを有し、カッターナイフ５の幅に相当する浅溝４を形成する。
【００１４】
基台１の斜面３に形成された浅溝４には、その先端を切断しようとするスチレンボードの切断面厚さよりもやや長い寸法に刃先を突出Ａさせたカッターナイフ刃５を装填し、その上部には基台１の長手方向に長さが略同じで、幅が基台１の斜面３よりも小さな幅寸法の定規板６をその上部に重ね被せるように位置し、ネジ７を用いて係止することにより角度カッターとして完成する。
【００１５】
本考案の角度カッターに固定される定規板６の先端端面は常に基台１の底面と直角の角度、又は基台１の端面における俯角と同じ角度に加工され、基台１の斜面先端と定規板６の先端を一致させることが最も望ましい。
【００１６】
本考案の角度カッターの基台１の斜面３に刻まれる浅溝４の基台１のその長手方向の底面接線に対する仰角βは、２０度から６０度の範囲で形成するものとするが、スチレンボード切断の操作性及び切断面の滑らかさを得るためには３０度±５度が最も好ましい角度である。
【００１７】
また、定規板を固定するネジ７に関しては、単なる木ネジ７のほか固定締め付け又は開放が容易な蝶ネジなどを用いるなど、カッターナイフの刃を装填又は取り外しが容易な係止方法であれば良く、その係止方法については本考案の方法に制約を受けない。
【００１８】
また、本角度カッターに用いるカッターナイフ刃は市販のカッターナイフ刃を用いる方が簡単であり、切り刃が劣化した際には替え刃を行えば同じ機能を回復することができる。
【実施例２】
【００１９】
本考案の実施例１と基本を同じとし、より軽量化等が図れる角度カッターについて図４〜図７を用いて説明する。
【００２０】
基台１に用いられる素材としては堅牢な木材等が適切ではあるが、軽量化の効果のある樹脂製の板を用いて製作することも可能であり、その詳細は次のとおりである。
底辺板８と略三角形のリブ９と斜面板１０を用いて略三角形リブ９の底辺部と底辺板８とを接着等により固定し、次いで略三角形リブ９の斜辺部と斜面板１０の裏部とを接着等により固定することにより基台１が完成する。
【００２１】
斜面板１０には実施例１と同様のカッターナイフ刃５を装填するための浅溝４を形成し、カッターナイフ刃５を浅溝４に装填した後、定規板６をその上部に重ね被せるように位置し、ネジ７等を用いて係止する。
もちろん、カッターナイフ刃５の先端部は、斜面板１０の下端部よりも切断しようとするスチレンボードの厚さよりもやや長めに刃先Ａ突出させることが重要である。
【００２２】
なお、略三角形リブ９の仰角は建物模型の壁面を構成するための切断が目的であれば
４５度とするほか、カッターナイフ刃５を装填するための浅溝４の傾斜角度は斜面板下面線に対して仰角βは２０度〜６０度であり、好ましくは３０度±５度とする。
【００２３】
また、基台１及び定規６に用いる素材は樹脂製の板が加工も容易で軽量であるが、本考案の素材に限定されるものでなく、構造と機能および目的を達成できるものであれば用いる素材について制約は受けない。
【実施例３】
【００２４】
本考案の実施例１と基本形を同じとし、より多角形の造形が容易となる角度カッターについて図８を用いて説明する。
【００２５】
実施例１との相違点は端面２における仰角α２の角度が１０度〜８０度の任意とするところにある。即ち、建物模型のごとくその出隅、入隅構造の完成が四角形とするためには、スチレンボードの端面を４５度の角度で切断することで目的が達成できるが、例えばイベント会場におけるブース内を装飾するディスプレー用品等には多角形の造形も必要となる。
その場合、六角形の柱若しくは筒状の造形を行うために、スチレンボードの切断面角度を６０度にすることで簡単に接合面を形成させることが可能となる。
【００２６】
従って、図８においては仰角が４５度よりも小さい事例を示したが、スチレンボードを使った造形品の目的に応じて、各種の仰角を有する角度カッターを製作して対応することができるのである。
因みに、３角形では３０度、この角度は建物模型の屋根頂部の接合に適する。
また、５角形では５４度、６角形では６０度、７角形では略６４．３度、８角形では６７．５度、１０角形では７２度の仰角を有する角度カッターを製作すれば対応できる。
【００２７】
次に、本考案における請求項２に記載の角度カッターに関し、以下のとおり説明する。
【実施例４】
【００２８】
請求項２に記載の特徴は、前記実施例３の角度カッターを１個で対応しようとするものであり、図９を用いて説明する。
【００２９】
底板８と斜面板１０とを滑動ピン１４を用いて連結し、斜面板１０には前記実施例と同様にカッターナイフ刃５を装填する浅溝４が形成され、その浅溝にはカッターナイフ刃５が、その刃先Ａを斜面板下端よりも切断しようとするスチレンボード厚みよりやや長く突出させて装填し、その上部から重ね被せるように定規板を位置し、ネジ７により係止する。
【００３０】
前記実施例１〜３との大きな相違点は、底板８の斜面板との連結位置との他端近くに、固定ネジ１３を用いて、湾曲した形状で長穴１５を有しその長穴近傍にメモリ１６を刻した湾曲自在スケールを固定し、斜面板端部に設けた係止ネジ１２により、仰角を任意に選択し得る構造としていることにある。この場合の係止ネジ１２は蝶ネジを用いることが最も好ましい。
【００３１】
このことにより、実施例３においては各目的に応じた角度カッターを用意する必要があったが、実施例４の構造とすることにより１個の角度カッターで各種の角度にスチレンボード端面を切断できるので非常に便利である。
なお、構成する部材の素材は加工面や使用面、強度や重量面から適宜選抜すれば良く、本考案では特に特定を行わない。
【００３２】
次に、本考案における請求項３に記載の角度カッターに関し、図１０を用いて以下のとおり説明する。
前記に示した実施例１〜４の角度カッターは、カッターナイフ刃５が常時斜面又は斜面板の下端より突出しているため、取扱い上の安全性が問題となる。
この対策としては、非使用時には定規板６の係止用ネジ７を緩めて、カッターナイフ刃５をその刃先Ａが突出しない程度に引き上げて係止しておく必要がある。
【００３３】
この、作業性の低さを解決するため、カッターナイフ５の手元側の係止穴１７を利用して、その後段にスクリューステム１８を連結し、スクリューステム１８に装填した蝶ネジ１９を回転させることにより、カッターナイフ刃５の出し入れを簡便にすることができる。
本構造より本考案の角度カッターはその利便性及び安全性が一段と向上する。
【図面の簡単な説明】
【００３４】
【図１】本考案実施例１の角度カッター斜視図
【図２】本考案実施例１の角度カッター正面図
【図３】本考案実施例１の角度カッター右側面図
【図４】本考案実施例２の角度カッター右側面図
【図５】本考案実施例２の角度カッター背面図
【図６】本考案実施例２の角度カッター正面図
【図７】本考案実施例２の角度カッター斜視図
【図８】本考案実施例３の角度カッター右側面図
【図９】本考案の請求項２に記載の角度カッター右側面図
【図１０】本考案の請求項３に記載の角度カッター正面図
【符号の説明】
【００３５】
１  基台
２  端面
３  斜面
５  カッターナイフ刃
６  定規板
８  底板
９  リブ板
１０  斜面板
１１  湾曲自在スケール
１３  固定ネジ
１４  滑動ピン
１６  目盛り
１７  係止穴
１８  スクリューステム
【図１】
0003131772.tif 000003
【図２】
0003131772.tif 000004
【図３】
0003131772.tif 000005
【図４】
0003131772.tif 000006
【図５】
0003131772.tif 000007
【図６】
0003131772.tif 000008
【図７】
0003131772.tif 000009
【図８】
0003131772.tif 000010
【図９】
0003131772.tif 000011
【図１０】
0003131772.tif 000012
【手続補正書】
【提出日】平成19年3月14日(2007.3.14)
【手続補正１】
【補正対象書類名】実用新案登録請求の範囲
【補正対象項目名】請求項２
【補正方法】変更
【補正の内容】
【請求項２】
基台断面の底辺の他の角である仰角を自在に調節可能とする治具を備えたことを特徴とする請求項１に記載の角度カッター
【手続補正２】
【補正対象書類名】実用新案登録請求の範囲
【補正対象項目名】請求項３
【補正方法】変更
【補正の内容】
【請求項３】
基台斜面に刻まれた浅溝に係止されるカッターナイフ刃が自在に前後する治具を備えたことを特徴とする請求項１または２に記載の角度カッター